(57)【要約】【課題】下枠上面を略フラットに形成した引き違い障子において、下框の室外側から垂下片を垂下させた内障子の下框に浸入した雨水の室外排水性が良く、雨による排水弁のバタツキを防止し、外障子下框との意匠の統一性の良い引き違い障子下框構造の提供を目的とする。【解決手段】建築物の屋外開口部に備えられた引き違い障子からなるサッシの下枠上面を略フラットに形成するとともに、この下枠上面に細い条状のスライド溝を備え、内障子下框室外側より垂下させた垂下片を上記スライド溝に嵌入させた内障子の下框構造において、この内障子下框の室外側側面であって横方向にスリット状の凹部を形成し、当該内障子下框のガラス装着溝の底部から上記スリット状凹部内に連通する排水穴を設けた。【選択図】  図３
2004238959.tif 000002
【特許請求の範囲】
【請求項１】
建築物の屋外開口部に備えられた引き違い障子からなるサッシの下枠上面を略フラットに形成するとともに、この下枠上面に細い条状のスライド溝を備え、内障子下框室外側より垂下させた垂下片を上記スライド溝に嵌入させた内障子の下框構造において、この内障子下框の室外側側面であって横方向にスリット状の凹部を形成し、当該内障子下框のガラス装着溝の底部から上記スリット状凹部内に連通する排水穴を設けたことを特徴とする内障子の下框構造。
【請求項２】
内障子の下框のガラス装着溝底部から、下框の側部に設けたスリット状凹部への排水穴に、逆止弁をこのスリット状凹部内に納まるように取り付けたことを特徴とする請求項１記載の内障子の下框構造。
【請求項３】
内障子下框の室外側に設けたスリット状凹部に納まるように取り付けられた逆止弁を覆うようにカバー部材を取り付けて、風による逆止弁のバタツキを防止したことを特徴とする請求項２記載の内障子の下框構造。
【請求項４】
建築物の屋外開口部に備えられた引き違い障子からなるサッシの下枠上面を略フラットに形成するとともに、この下枠上面に細い条状のスライド溝を備え、外障子は下框の室内側より垂下片を垂下させ、一方、内障子は下框の室外側より垂下片を垂下させて、それぞれ上記下枠のスライド溝に嵌入させた引き違い障子の下枠構造において、内障子下框には、その室外側側面であって横方向にスリット状の凹部を形成し、当該内障子下框のガラス装着溝底部から上記スリット状凹部内に連通する排水穴を設けるとともに、外障子下框には、その室外側側面に、上記内障子下框のスリット状凹部の高さに対応させた位置に、見付け面同一幅の凹部を形成させることにより外障子下框と内障子下框の室外側見付け面の外観視の統一性を図ったことを特徴とする引き違い障子の下框構造。
【発明の詳細な説明】
【０００１】
【発明の属する技術分野】
本発明は、住宅等の建築物の屋外開口部に備えられる障子戸の下框部の構造に関し、下枠上面を略フラットに形成した場合に、下框ガラス溝に浸入した雨水の排水性や下框の意匠性に優れた下框構造に係る。
【０００２】
【発明が解決しようとする課題】
本出願人は、下枠上面を略フラットに形成し、下枠上面に細い条状のスライド溝を設け、このスライド溝に障子下框から垂下させた垂下片を嵌入させた構造の引き違い障子のサッシ構造を検討した。
この場合に、外障子と内障子の召合部に対応して下枠に召合シール部材を取り付ける際に、この召合部の気密、水密性及び召合シール部と障子下框の摺接による障子スライド操作力等の品質の作り込みが容易になるように外障子下框スライド片と内障子下框スライド片の間に位置する下枠上面幅を小さくする構造を検討した。
【０００３】
その結果、外障子下框には室内側よりから垂下片を垂下させ、これに対して内障子下框には、室外側よりから垂下片を垂下させるようにした。
しかし、このように内障子下框に室外側よりから垂下片を垂下させると、下框のガラス溝から浸入した雨水は戸車取り付け加工穴等から室内側に流れ込んでくる恐れが生じることになる。
【０００４】
この理由を図７に基づいて説明する。
障子を下框、上框、左右の縦框にて略方形の枠を形成し、この枠内にガラスを嵌め込んだ場合に、下框等の枠に設けたガラス溝とガラスの間には、ゴム材等のパッキン部材を介してシールされている。
しかし、風等にてガラスが室内側に押圧されると、室内側のパッキン部が強く押されることにより、逆にガラスの室外側と下框のガラス溝の間のシール性が弱くなり雨水が浸入しやすくなる。
ガラス溝に浸入した雨水は、下框に明けられている戸車取付用等の加工穴等から下枠上面に流れ込んでくることになる。
従来は、下枠が突条レールになっていたので、レール間の溝部に雨水を流し込めば良かったが、本願のように下枠上面をフラットに形成すると、この雨水が室内側に流れ込む恐れがより高くなる。
【０００５】
そこで、下框室外側見付け面に排水弁を設けて、ガラス溝から浸入した雨水を室外に流し出すことも検討した。
しかし、内障子下框室外側見付け面にそのまま排水弁を取り付けると、排水弁が作動して開いた状態時に障子をスライドさせたような場合には、外障子下框と干渉して排水弁が破損する恐れがあり、たとえ干渉しなくても風により排水弁がバタツキ、異音が発生する問題もあった。
更には、外障子下框には垂下片を室内側に設けると排水弁が不要なので、内障子下框と意匠の統一が図れないという問題もあった。
【０００６】
以上の理由から本発明は、下枠上面を略フラットに形成した引き違い障子において、下框の室外側から垂下片を垂下させた内障子の下框に浸入した雨水の室外排水性が良く、風による排水弁のバタツキを防止し、外障子下框との意匠の統一性の良い引き違い障子下框構造の提供を目的とする。
【０００７】
【課題を解決するための手段】
請求項１記載の発明は、建築物の屋外開口部に備えられた引き違い障子からなるサッシの下枠上面を略フラットに形成するとともに、この下枠上面に細い条状のスライド溝を備え、内障子下框室外側より垂下させた垂下片を上記スライド溝に嵌入させた内障子の下框構造において、この内障子下框の室外側側面であって横方向にスリット状の凹部を形成し、当該内障子下框のガラス装着溝の底部から上記スリット状凹部内に連通する排水穴を設けた。
【０００８】
このように、内障子下框の室外側側面であって、横方向にスリット状の凹部を形成し、この凹部に排水穴を設けたので、請求項２記載の発明のように、このスリット状凹部内に納まるように排水弁を設けることができ、開閉時における外障子等との干渉が防止できる。
【０００９】
請求項３記載の発明は、内障子下框の室外側に設けたスリット状凹部に納まるように取り付けられた逆止弁を覆うようにカバー部材を取り付けて、風による逆止弁のバタツキを防止した。
【００１０】
請求項４記載の発明は、建築物の屋外開口部に備えられた引き違い障子からなるサッシの下枠上面を略フラットに形成するとともに、この下枠上面に細い条状のスライド溝を備え、外障子は下框の室内側より垂下片を垂下させ、一方、内障子は下框の室外側より垂下片を垂下させて、それぞれ上記下枠のスライド溝に嵌入させた引き違い障子の下枠構造において、内障子下框には、その室外側側面であって横方向にスリット状の凹部を形成し、当該内障子下框のガラス装着溝底部から上記スリット状凹部内に連通する排水穴を設けるとともに、外障子下框には、その室外側側面に、上記内障子下框のスリット状凹部の高さに対応させた位置に、見付け面同一幅の凹部を形成させることにより外障子下框と内障子下框の室外側見付け面の外観視の統一性を図った。
【００１１】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子等にも適用される。
【００１２】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００１３】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１４】
図３の拡大図に基づいて下枠構造を説明する。
下枠１０の下枠ベース部は、室外側下枠ベース部材１１と室内側下枠ベース部材１２を断熱部材１６にて連結して形成されている。
下枠ベース部材には、外障子５０の戸車５１ｃ及び内障子６０の戸車６１ｃが走行する小さな条状突起からなる擬似レール１９ａ、１９ｂが形成されている。
この擬似レール部分とは、独立して分離出来るように下枠カバー部材１５が下枠ベース部に着脱自在に取り付けられている。
下枠カバー部材１５を下枠ベース部に取り付けることにより、外障子５０の下框５１の室内側よりから垂下させた垂下片５１ｅがスライドする外障子用スライド溝１３ａが形成され、その下に排水用の外障子用下枠凹部１４ａが形成される。
また、この下枠カバー部材１５にて外障子下框の垂下片１３ａの室内側に取り付けたタイト材５１ｆの摺接壁を形成するとともに、内障子６０の下框６１の室外側よりから垂下させた垂下片６１ｅがスライドする内障子用スライド溝１３ｂの室外側部を形成し、その下に排水用の内障子用下枠凹部１４ｂが形成される。
なお、障子構造についての詳細は後で述べる。
このように下枠カバー部材１５が障子の戸車走行部より独立しているので、下枠カバー部材１５を引き違い障子の開閉に対して左右の開口部と中央部に分割して取り付けると、障子が一方に寄せて交互に下枠カバー部材を取り外すことができる。
この場合に中央部の下枠カバー部材は、障子召合部に対応した長さにするのがよい。
【００１５】
下枠カバー部材にて形成された外障子下框垂下片５１ｅと内障子下框垂下片６１ｅの間の下枠上面は、図２に示す外障子召合框５４と内障子召合框６４が干渉しない範囲にて最接近させたことにより、その下枠上面幅が最小になっている。
また、この下枠カバー部材で形成した外障子下框垂下片と内障子下框垂下片の間の下枠上面にはホルダー部を設けて樹脂材等の断熱部材１５ａが配設されていて、この部分から熱伝導や結露の発生を防止している。
【００１６】
また、下枠１０の室内側よりの上面には、意匠性と断熱性を考慮して断熱室内部材１７が取り付けられ、下枠上面には全体として略フラットに形成されている。
下枠１０には下枠内部から室内（屋外）に雨水等を排水する排水穴１８及び逆止弁１８ａが設けられている。
【００１７】
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱材からなる室内部材５１ｂ、５２ｂ、５３ｂが連結されたフラットサッシ構造となっている。
【００１８】
外障子下框構造を図３にて説明する。
外障子の下框５１の室外側よりから外障子下框垂下片５１ｅが垂下され、下枠上面に形成した外障子用スライド溝１３ａに嵌入するようになっている。
外障子下框垂下片５１ｅの室内側には、タイト材５１ｆが取り付けられ、下枠のスライド溝側壁（下枠凹部）との間をシールする。
また、外障子下框の底部と下枠上面との間にタイト材５１ｇを取り付けてもよい。
外障子下框の室外側見付け面には、横方向に凹部５１ｈが形成されている。
これは、後述する内障子下框の室外側見付け面に設けたスリット状の排水凹部６１ｂのスリット幅に合わせて、外障子下框の室外側見付け面にこの凹部を形成させることで内障子との意匠の統一を図ったものである。
外障子下框底部には戸車５１ｃが取り付けられ、戸車のタイヤの外周中央部は凹部形状５１ｄになっていて、擬似レール１９ａと当接回転するようになっている。
【００１９】
内障子６０は、内障子下框６１、上框６２、戸当り框６３、召合框６４で略方形の枠を形成され、ガラス６５等が取り付けられている。
また、上記下框、上框、戸当り框、召合框は、それぞれ金属製のベース部材６１ａ、６２ａ、６３ａ、６４ａの室内側に樹脂材等の断熱材からなる室内部材６１ｂ、６２ｂ、６３ｂ、６４ｂが連結された断熱サッシ構造になっている。
【００２０】
内障子の下框６１の室外側よりから内障子下框垂下片６１ｅが垂下され、下枠上面に形成した内障子用スライド溝１３ｂに嵌入ようになっている。
本発明においては、外障子下框の垂下片が室内側よりから垂下され、内障子がその逆に内障子下框の室外側よりから垂下片を垂下させた構造になっている。
内障子下框垂下片６１ｅの室内側にはタイト材６１ｆが取り付けられ、下枠のスライド溝側壁（下枠凹部）との間をシールする。
内障子下框底部には戸車６１ｃが取り付けられ、戸車のタイヤの外周中央部は凹部形状６１ｄになっていて、擬似レール１９ｂと当接回転するようになっている。
【００２１】
図３及び図４にて内障子下框の排水構造について説明する。
図４は、下框の室外側に設けたスリット状の排水凹部６１ｈの断面拡大図である。
下框に形成されたガラス６５の装着溝６１ｍ内に、パッキン材６６を介してこのガラスが装着されている。
このガラスの装着溝６１ｍの底部に排水凹部６１ｊを形成し、ここに流れ込んできた雨水は、スリット状の排水凹部６１ｈ内に形成された排水穴６１ｋから逆止弁６１ｇを介して屋外に排水される。
この排水弁６１ｇを覆うように排水穴カバー部材６１ｉが取り付けられている。
【００２２】
網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００２３】
図５及び図６には本発明に係る下枠構造をクラッドサッシ構造等の断熱サッシ以外に適用した例である。
下枠１１０の下枠ベース部１１１は、アルミ押出材等の金属材料にて一体的に押出成形されている。
下枠ベース部１１１に下枠カバー部材１１５を取り付けて、外障子用スライド溝１１３ａ、内障子用スライド溝１１３ｂをそれぞれ形成し、その直下に外障子用下枠凹部１１４ａ、内障子用下枠凹部１１４ｂが形成されている。
障子戸車走行用の擬似レール１１９ａ、１１９ｂが下枠上面に形成されている。
内障子には、スリット状の排水凹部１６１ｈが形成され、その内部に排水弁（逆止弁）１６１ｇが取り付けられ、外障子には内障子に対応させて凹部１５１ｈが設けられている。
【００２４】
このようなサッシ構造の場合には、下枠１１０の対応してアルミ押出材等で形成した上枠１２０、及び右縦枠１３０、左縦枠１４０にて略方形の開口部を形成し、その開口部内に下框１５１、上框１５２、戸当り框１５３、召合框１５４からなる外障子１５０、及び下框１６１、上框１６２、戸当り框１６３、召合框１６４からなる内障子１６０が取り付けられている。
【００２５】
【発明の効果】
本発明においては、内障子下框の室外側側面に横方向にスリット状の凹部を形成し、ガラス溝から連通した排水穴を設け、この部分に排水弁を取り付け、この排水弁にカバー部材を取り付けた構造になっているので、カバー部材にて排水弁が下框側面より外にまで開くのを防止し、開閉時に排水弁が風等により作動しても外障子と干渉することも無く、風によるバタツキ異音も防止できる。
また、外障子下框室外側にも内障子のスリット幅に合わせた凹部を長手方向に形成するだけで、外障子と内障子の意匠の統一性が容易に図れる。
【図面の簡単な説明】
【図１】本発明に係るサッシ構造の縦断面図を示す。
【図２】本発明に係るサッシ構造の横断面図を示す。
【図３】下枠付近の拡大図を示す。
【図４】下框の排水穴付近の拡大図を示す。
【図５】本発明に係るサッシ構造の他の例の縦断面図を示す。
【図６】本発明に係るサッシ構造の他の例の横断面図を示す。
【図７】従来の下框における雨水の浸入経路を示す。
【符号の説明】
１０    下枠
１１    室外側下枠ベース部材
１２    室内側下枠ベース部材
１３ａ  外障子用スライド溝
１３ｂ  内障子用スライド溝
１４ａ  外障子用下枠凹部
１４ｂ  内障子用下枠凹部
１５    下枠カバー部材
１５ａ  断熱部材
１６    断熱部材
１７    断熱室内部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子下框垂下片
５１ｆ  外障子下框タイト材
５１ｇ  外障子下框底部タイト材
５１ｈ  外障子下框の室外側凹部
５２    外障子上框
５３    外障子戸当り框
５４    外障子召合框
５５    ガラス
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子下框垂下片
６１ｆ  内障子下框タイト材
６１ｇ  逆止弁
６１ｈ  スリット状の凹部
６１ｉ  内障子下框の排水穴カバー部材
６１ｊ  内障子下框の排水凹部
６１ｋ  内障子下框の排水穴
６１ｍ  内障子下框のガラス装着溝
６２    内障子上框
６３    内障子戸当り框
６４    内障子召合框
６５    ガラス
６６    パッキン
【図１】
2004238959.tif 000003
【図２】
2004238959.tif 000004
【図３】
2004238959.tif 000005
【図４】
2004238959.tif 000006
【図５】
2004238959.tif 000007
【図６】
2004238959.tif 000008
【図７】
2004238959.tif 000009